(57)【特許請求の範囲】
【請求項１】
ユーザ装置（ＵＥ）によって送信されたセッション転送要求を受信し、該セッション転送要求は静的セッション転送識別子（ＳＴＩ）を運び、
アクティブな回線交換（ＣＳ）セッションを転送することを前記ＵＥが要求していると前記静的ＳＴＩに従って判断し、前記セッション転送要求に従って前記アクティブなＣＳセッションを転送する手順を実行し、保留されているＣＳセッションを前記ＵＥが有するかどうかを判定し、
保留されているＣＳセッションを前記ＵＥが有する場合、前記保留されているＣＳセッションに割り当てられた動的ＳＴＩを前記ＵＥに送信し、
前記ＵＥによって送信された別のセッション転送要求を受信し、該別のセッション転送要求は前記動的ＳＴＩを運び、前記別のセッション転送要求に従って前記保留されているＣＳセッションを転送する手順を実行すること
を含む、マルチメディアセッション転送のための方法。
【請求項２】
前記動的ＳＴＩは、前記保留されているＣＳセッションの呼接続のセットアップ時にサーバによって前記保留されているＣＳセッションに割り当てられるか、又は、判定結果に従って前記サーバによって前記保留されているＣＳセッションに一時的に割り当てられる、
請求項１に記載の方法。
【請求項３】
前記保留されているＣＳセッションに割り当てられた前記動的ＳＴＩを前記ＵＥに送信することは、
前記静的ＳＴＩを運ぶ前記ＣＳセッション転送要求に応答する応答メッセージのＣｏｎｔａｃｔヘッダフィールド、Ｒｅｐｌａｃｅヘッダフィールド、又はＴａｒｇｅｔ−Ｄｉａｌｏｇヘッダフィールドを使用して動的ＳＴＩを運び、該動的ＳＴＩは前記静的ＳＴＩを運ぶ前記ＣＳセッション転送要求のためにセットアップされたアクセスレグに前記サーバによって割り当てられ、前記ヘッダフィールドを使用して前記保留されているＣＳセッションに割り当てられた前記動的ＳＴＩを運び、前記２つの動的ＳＴＩの順序は予め設定されていること、
前記静的ＳＴＩを運ぶ前記ＣＳセッション転送要求に応答する前記応答メッセージの前記Ｃｏｎｔａｃｔヘッダフィールドを使用して前記動的ＳＴＩを運び、該動的ＳＴＩは前記静的ＳＴＩを運ぶ前記ＣＳセッション転送要求のためにセットアップされた前記アクセスレグに前記サーバによって割り当てられ、前記Ｒｅｐｌａｃｅヘッダフィールド又は前記Ｔａｒｇｅｔ−Ｄｉａｌｏｇヘッダフィールドを使用して前記保留されているＣＳセッションに割り当てられた前記動的ＳＴＩを運ぶこと、
及び、
前記ＵＥにＲｅｆｅｒメッセージを送信し、前記ＲｅｆｅｒメッセージのＲｅｆｅｒ−Ｔｏヘッダフィールドを使用して前記保留されているＣＳセッションに割り当てられた前記動的ＳＴＩを運ぶこと、
のうちのいずれか１つである、請求項１又は２に記載の方法。
【請求項４】
前記保留されているＣＳセッションに割り当てられた前記動的ＳＴＩを前記ＵＥに送信することは、
前記静的ＳＴＩを運ぶ前記ＣＳセッション転送要求に応答する応答メッセージのＣｏｎｔａｃｔヘッダフィールド、Ｒｅｐｌａｃｅヘッダフィールド、又はＴａｒｇｅｔ−Ｄｉａｌｏｇヘッダフィールドを使用して動的ＳＴＩを運び、該動的ＳＴＩは、前記静的ＳＴＩを運ぶ前記ＣＳセッション転送要求のためにセットアップされたアクセスレグに前記サーバによって割り当てられ、前記ヘッダフィールドを使用して前記保留されているＣＳセッションに割り当てられた前記動的ＳＴＩを運び、前記２つの動的ＳＴＩの順序は予め設定されていること、
前記静的ＳＴＩを運ぶ前記ＣＳセッション転送要求に応答する前記応答メッセージの前記Ｃｏｎｔａｃｔヘッダフィールドを使用して前記動的ＳＴＩを運び、該動的ＳＴＩは、前記静的ＳＴＩを運ぶ前記ＣＳセッション転送要求のためにセットアップされた前記アクセスレグに前記サーバによって割り当てられ、前記Ｒｅｐｌａｃｅヘッダフィールド又は前記Ｔａｒｇｅｔ−Ｄｉａｌｏｇヘッダフィールドを使用して前記保留されているＣＳセッションに割り当てられた前記動的ＳＴＩを運ぶこと、
及び、
前記ＵＥにＲｅｆｅｒメッセージを送信し、前記ＲｅｆｅｒメッセージのＲｅｆｅｒ−Ｔｏヘッダフィールドを使用して前記保留されているＣＳセッションに割り当てられた前記動的ＳＴＩを運ぶこと
のうちのいずれか１つである、請求項２に記載の方法。
【請求項５】
ユーザ装置（ＵＥ）によって送信されたセッション転送要求を受信し、該セッション転送要求は静的セッション転送識別子（ＳＴＩ）を運び、アクティブな回線交換（ＣＳ）セッションを転送することを前記ＵＥが要求していると前記静的ＳＴＩに従って判断し、前記セッション転送要求に従って前記アクティブなＣＳセッションを転送する手順を実行し、保留されているＣＳセッションを前記ＵＥが有するかどうかを判定し、有する場合、第２のモジュールにトリガ信号を送信するように適合された第１のモジュールと、
前記第１のモジュールによって送信された前記トリガ信号を受信した後、前記保留されているＣＳセッションに割り当てられた動的ＳＴＩを前記ＵＥに送信し、前記ＵＥによって送信された別のセッション転送要求を受信し、該セッション転送要求は前記動的ＳＴＩを運び、前記別のセッション転送要求に従って前記保留されているＣＳセッションを転送する手順を実行するように適合された前記第２のモジュールと、
を備える、マルチメディアセッション転送のためのサーバ。
【請求項６】
ユーザ装置（ＵＥ）の通話中に前記ＵＥの現在の位置における回線交換（ＣＳ）ネットワーク及びパケット交換（ＰＳ）ネットワークのカバレージ条件を検知し、前記ＵＥの前記現在の位置が前記ＣＳネットワーク以外の前記ＰＳネットワークによってカバーされることを見出した場合、転送モジュールにトリガ信号を送信するように適合された検知モジュールと、
前記検知モジュールから前記トリガ信号を受信した後、サーバに静的セッション転送識別子（ＳＴＩ）を運ぶＣＳセッション転送要求を送信し、前記サーバから応答メッセージを受信し、前記静的ＳＴＩを運ぶ前記ＣＳセッション転送要求に対応する手順を実行し、前記サーバからの前記応答メッセージに従って別のＣＳセッション転送要求を送信するかどうかを判定し、前記別のＣＳセッション転送要求に対応する手順を実行するように適合された前記転送モジュールと、
を備え、
前記転送モジュールは、
前記サーバからの前記応答メッセージ内で運ばれる動的ＳＴＩの数に従って前記ＣＳセッション転送要求を再度送信するかどうかを判定し、２つの動的ＳＴＩが存在する場合、所定の順序に従って保留されているＣＳセッションを対象とする動的ＳＴＩを取り出し、前記動的ＳＴＩを使用することによって前記保留されているＣＳセッションを転送するための要求を再度送信するように適合された判定モジュール、及び、
前記サーバからの前記応答メッセージ内のＲｅｐｌａｃｅヘッダフィールド又はＴａｒｇｅｔ−Ｄｉａｌｏｇヘッダフィールドが前記保留されているＣＳセッションに割り当てられた前記動的ＳＴＩを運ぶかどうかに従って前記ＣＳセッション転送要求を再度送信するかどうかを判定するように適合された判定モジュール
のうちのいずれか１つを更に備える、
マルチメディアセッション転送のためのＵＥ。
【発明の詳細な説明】
【技術分野】
【０００１】
本発明は、移動通信技術に関し、特に、回線交換（ＣＳ）ネットワークからパケット交換（ＰＳ）ネットワークに、マルチメディアセッションを転送するための技術に関する。
【背景技術】
【０００２】
現在のところ、移動通信ネットワークは、主としてＣＳネットワークである（例えば、グローバルシステムフォーモバイルコミュニケーションズ（ＧＳＭ）、及び符号分割多元接続（ＣＤＭＡ）ネットワーク）。事業者は、ＣＳネットワークに基づいて、完全かつ多様なサービスプラットフォームを構築している。そのようなプラットフォーム上で、モバイルスイッチングセンタ（ＭＳＣ）は、呼のルーティング及びサービスロジックの実行に関与する。
【０００３】
ＩＰマルチメディアサブシステム（ＩＭＳ）は、インターネットプロトコル（ＩＰ）スイッチングに基づくサービスネットワークである。ＩＭＳは、ユーザ装置（ＵＥ）が、様々なＰＳアクセスネットワーク（ＩＰコネクティビティアクセスネットワーク（ＩＰ−ＣＡＮ）など）を介してＩＭＳネットワークにアクセスし、ＩＭＳマルチメディアサービスを実行することを可能にする。すなわち、ＩＭＳは、ＩＰ−ＣＡＮ上に構築されるサービスプラットフォームであり、基本的に、ＣＳネットワークのＭＳＣに対応する。ＣＳネットワークと比較して、ＩＰ−ＣＡＮは、より広い帯域幅を提供し、より豊富なサービスをサポートする。ＩＭＳの中核は、呼セッション制御機能（ＣＳＣＦ）及び様々なアプリケーションサーバ（ＡＳ）である。サービングＣＳＣＦ（Ｓ−ＣＳＣＦ）は、条件が満たされた場合、適切なＡＳに呼要求をルーティングすることに関与し、ＡＳは、サービスロジックを実行する。
【０００４】
ＩＭＳが主要傾向であるため、サービスプラットフォームを統一し、新たなサービスの開発及び運用のコストを減少させるために、ＣＳネットワークサービスプラットフォームの機能はＩＭＳネットワークに移行されることが適切である。サービスプラットフォームの統一はＩＭＳ集中型サービス（ＩＣＳ）としても知られている。
【０００５】
サービスの連続性（ＳＣ）は、ユーザが１つのアクセスネットワークから別のアクセスネットワークに移動する場合に出現するセッションの連続性に対処する。すなわち、ユーザが移動する場合に、セッションを中断することなく、アクセスネットワークが変更されることが可能である。
【０００６】
ＳＣ  ＵＥは、以下の手順に従って、アクセスネットワーク間のセッション転送（ｓｅｓｓｉｏｎ  ｔｒａｎｓｆｅｒ）を実行する。新たなアクセスネットワーク内でＵＥとＳＣＣ  ＡＳとの間の新たなアクセスレグをセットアップすることを目的として、新たなアクセスネットワークにおいて、ＵＥは、サービスの集中及び連続性アプリケーションサーバ（Ｓｅｒｖｉｃｅ  Ｃｅｎｔｒａｌｉｚａｔｉｏｎ  ａｎｄ  Ｃｏｎｔｉｎｕｉｔｙ  Ａｐｐｌｉｃａｔｉｏｎ  Ｓｅｒｖｅｒ）（ＳＣＣ  ＡＳ）に転送要求を送信する。転送要求を受信した後、ＳＣＣ  ＡＳは、古いアクセスネットワークのアクセスレグに対応するリモートレグを新たなアクセスネットワークのアクセスレグと関連付け、そして、リモートレグを更新し、同時に、古いアクセスネットワークのアクセスレグを解放する。リモートレグは、ＳＣＣ  ＡＳとピアＵＥとの間の呼制御経路を意味する。アクセスレグ及びリモートレグは、３ＧＰＰ  ＴＳ２３．２３７において規定されている。
【０００７】
セッション転送識別子（Ｓｅｓｓｉｏｎ  Ｔｒａｎｓｆｅｒ  Ｉｄｅｎｔｉｆｉｅｒ）（ＳＴＩ）は、セッション転送の開始を指示する識別子である。一般に、ＵＥとＳＣＣ  ＡＳとの間で新たなアクセスレグがセットアップされる場合、ＳＣＣ  ＡＳは、ＳＴＩを動的に割り当てる。各動的ＳＴＩは、特定のアクセスレグに一意に対応する。ユーザがハンドオーバを実行したい場合、動的ＳＴＩがＵＥ内に存在するならば、ＵＥは、動的ＳＴＩを被呼番号として使用することによって、転送要求を送信する。ＳＣＣ  ＡＳは、新たなアクセスレグによって置き換えられる必要がある古いアクセスレグをＳＴＩに従って判断する。
【０００８】
静的ＳＴＩ及び静的セッション転送番号（ＳＴＮ）が、各ＳＣ  ＵＥ内に記憶される。ＵＥが動的ＳＴＩを有さない場合、転送を開始するために、静的ＳＴＩ又はＳＴＮが被呼番号として使用される。ＳＣ  ＵＥは、ＩＣＳ  ＵＥ（ＩＣＳの能力があるＵＥ）又は非ＩＣＳ  ＵＥ（ＩＣＳの能力がないＵＥ）であってもよい。ＳＣ  ＵＥが非ＩＣＳ  ＵＥである場合、ＵＥがＣＳネットワークからセッション要求を送信する際に、ＳＣＣ  ＡＳによって新たなアクセスレグに割り当てられた動的ＳＴＩはＵＥに送信されることができない。従って、ＵＥがＣＳネットワークからＰＳネットワークへの転送を開始する場合、静的ＳＴＩのみが使用されることが可能である。ＳＴＮは、ＳＣ  ＵＥが非ＩＣＳ  ＵＥであり、かつ、ＰＳネットワークからＣＳネットワークへの転送が開始される場合のみ、使用されることが可能である。
【０００９】
ＳＴＮ、静的ＳＴＩ及び動的ＳＴＩは、構成が異なる。ＳＣＣ  ＡＳは、ユーザがＳＴＮ、静的ＳＴＩ又は動的ＳＴＩのいずれを使用しているかを容易に識別することが可能である。
【発明の概要】
【発明が解決しようとする課題】
【００１０】
本発明を実施するプロセスにおいて、発明者は、従来技術における少なくとも以下の問題を見出した。
【００１１】
非ＩＣＳ  ＵＥがＣＳネットワークからＰＳネットワークに移動する場合、動的ＳＴＩが存在しないため、静的ＳＴＩのみが利用可能であり、そして、１つのみの静的ＳＴＩがＵＥ内に記憶されている。非ＩＣＳ  ＵＥがＣＳネットワーク内で２つのマルチメディアセッションを有する場合、非ＩＣＳ  ＵＥは、現在アクティブであるＣＳセッションのみを転送することが可能であり、しかし、ＳＴＩは存在しないため、保留されているセッション（ｈｅｌｄ  ｓｅｓｓｉｏｎ）を転送することはできない。
【課題を解決するための手段】
【００１２】
本発明の実施形態は、非ＩＣＳ  ＵＥの２つのマルチメディアセッションがＣＳネットワークからＰＳネットワークに転送されることが可能であるようにするためのマルチメディアセッション転送のための方法、ＵＥ、及びサーバを提供する。
【００１３】
前述の目的を達成するために、本発明の一実施形態におけるマルチメディアセッション転送のための方法は、
ＵＥによって送信されたセッション転送要求を受信し、セッション転送要求は静的ＳＴＩを運び、
アクティブなＣＳセッションを転送することをＵＥが要求していることを静的ＳＴＩに従って判断し、セッション転送要求に従ってアクティブなＣＳセッションを転送する手順を実行し、保留されているＣＳセッションをＵＥが有するかどうかを判定し、
保留されているＣＳセッションをＵＥが有する場合、保留されているＣＳセッションに割り当てられた動的ＳＴＩをＵＥに送信し、
ＵＥによって送信された別のセッション転送要求を受信し、別のセッション転送要求は動的ＳＴＩを運び、別のセッション転送要求に従って保留されているＣＳセッションを転送する手順を実行すること
を含む。
【００１４】
本発明の一実施形態におけるマルチメディアセッション転送のための別の方法は、
ＵＥによって送信されたセッション転送要求を受信し、セッション転送要求は静的ＳＴＩを運び、
アクティブなＣＳセッションを転送することをＵＥが要求していることを静的ＳＴＩに従って判断し、セッション転送要求に従ってアクティブなＣＳセッションを転送する手順を実行し、保留されているＣＳセッションをＵＥが有するかどうかを判定し、
保留されているＣＳセッションをＵＥが有する場合、保留されているＣＳセッションを転送するためにＵＥに呼要求を送信し、保留されているＣＳセッションを転送する手順を実行すること
を含む。
【００１５】
本発明の一実施形態におけるマルチメディアセッション転送のための別の方法は、
ＵＥによって送信されたセッション転送要求を受信し、セッション転送要求は静的ＳＴＩを運び、
アクティブな回線交換（ＣＳ）セッションを転送することをＵＥが要求していることを静的ＳＴＩに従って判断し、セッション転送要求に従ってアクティブなＣＳセッションを転送する手順を実行し、
静的ＳＴＩ及び／又はセッション転送番号（ＳＴＮ）を運ぶセッション転送要求をＵＥから受信し、保留されているＣＳセッションを転送することをＵＥが要求していることを静的ＳＴＩ及び／又はＳＴＮに従って判断し、保留されているＣＳセッションを転送するための要求に従って保留されているＣＳセッションを転送する手順を実行すること
を含む。
【００１６】
本発明の一実施形態におけるマルチメディアセッション転送のためのサーバは、
ユーザ装置（ＵＥ）によって送信されたセッション転送要求を受信し、セッション転送要求は静的セッション転送識別子（ＳＴＩ）を運び、アクティブな回線交換（ＣＳ）セッションを転送することをＵＥが要求していることを静的ＳＴＩに従って判断し、セッション転送要求に従ってアクティブなＣＳセッションを転送する手順を実行し、保留されているＣＳセッションをＵＥが有するかどうかを判定し、有する場合、第２のモジュールにトリガ信号を送信するように適合された第１のモジュールと、
第１のモジュールによって送信されたトリガ信号を受信した後、保留されているＣＳセッションに割り当てられた動的ＳＴＩをＵＥに送信し、ＵＥによって送信された別のセッション転送要求を受信し、セッション転送要求は動的ＳＴＩを運び、別のセッション転送要求に従って保留されているＣＳセッションを転送する手順を実行するように適合された第２のモジュールと、
を含む。
【００１７】
本発明の一実施形態におけるマルチメディアセッション転送のための別のサーバは、
ユーザ装置（ＵＥ）によって送信されたセッション転送要求を受信し、セッション転送要求は静的セッション転送識別子（ＳＴＩ）を運び、アクティブな回線交換（ＣＳ）セッションを転送することをＵＥが要求していることを静的ＳＴＩに従って判断し、セッション転送要求に従ってアクティブなＣＳセッションを転送する手順を実行し、保留されているＣＳセッションをＵＥが有するかどうかを判定し、有する場合、第２のモジュールにトリガ信号を送信するように適合された第１のモジュールと、
第１のモジュールによって送信されたトリガ信号を受信した後、ＵＥに呼要求を送信し、呼要求は動的ＳＴＩを運び、保留されているＣＳセッションを転送する手順を実行するように適合された第２のモジュールと、
を含む。
【００１８】
本発明の一実施形態におけるマルチメディアセッション転送のための別のサーバは、
ＵＥによって送信されたセッション転送要求を受信し、セッション転送要求はＳＴＩを運び、アクティブなＣＳセッションを転送することをＵＥが要求していることを静的ＳＴＩに従って判断し、セッション転送要求に従ってアクティブなＣＳセッションを転送する手順を実行し、ＵＥによって送信された別のセッション転送要求を受信し、セッション転送要求は静的ＳＴＩ及び／又はＳＴＮを運び、保留されているＣＳセッションを転送することをＵＥが要求しているかどうかを静的ＳＴＩ及び／又はＳＴＮに従って判定し、要求している場合、第２のモジュールにトリガ信号を送信するように適合された第１のモジュールと、
第１のモジュールによって送信されたトリガ信号を受信した後、保留されているＣＳセッションを転送するための要求に従って、保留されているＣＳセッションを転送する手順を実行するように適合された第２のモジュールと、
を含む。
【００１９】
本発明の一実施形態におけるマルチメディアセッション転送のための別の方法は、
静的ＳＴＩを運ぶセッション転送要求をサーバに送信し、
サーバから応答メッセージを受信し、静的ＳＴＩを使用するＣＳセッションを転送する手順を実行し、サーバからの応答メッセージに従って別のＣＳセッション転送要求を送信するかどうかを判定し、別のＣＳセッションを転送する手順を実行すること
を含む。
【００２０】
本発明の一実施形態におけるマルチメディアセッション転送のための別の方法は、
静的ＳＴＩを運ぶセッション転送要求をサーバに送信し、
サーバから応答メッセージを受信し、静的ＳＴＩを使用するＣＳセッションを転送する手順を実行し、
サーバによって送信されたＣＳセッション呼要求を受信し、ＣＳセッション呼要求に従って手順を実行すること
を含む。
【００２１】
本発明の一実施形態におけるマルチメディアセッション転送のための別の方法は、
静的ＳＴＩを運ぶセッション転送要求をサーバに送信し、
サーバから応答メッセージを受信し、静的ＳＴＩを使用するＣＳセッションを転送する手順を実行し、
保留されているＣＳセッションをＵＥが有するかどうかを判定し、有する場合、静的ＳＴＩ及び／又はＳＴＮを運ぶセッション転送要求を送信すること
を含む。
【００２２】
本発明の一実施形態におけるマルチメディアセッション転送のためのＵＥは、
ＵＥの通話中にＵＥの現在の位置におけるＣＳネットワーク及びＰＳネットワークのカバレージ条件を検知し、ＵＥの現在の位置がＣＳネットワーク以外のＰＳネットワークによってカバーされることを見出した場合、転送モジュールにトリガ信号を送信するように適合された検知モジュールと、
検知モジュールからトリガ信号を受信した後、サーバに静的セッション転送識別子（ＳＴＩ）を運ぶＣＳセッション転送要求を送信し、サーバから応答メッセージを受信し、静的ＳＴＩを運ぶＣＳセッション転送要求に対応する手順を実行し、サーバからの応答メッセージに従って別のＣＳセッション転送要求を送信するかどうかを判定し、別のＣＳセッション転送要求に対応する手順を実行するように適合された転送モジュールと、
を含む。
【００２３】
本発明の一実施形態におけるマルチメディアセッション転送のための別のＵＥは、
ＵＥの通話中にＵＥの現在の位置におけるＣＳネットワーク及びＰＳネットワークのカバレージ条件を検知し、ＵＥの現在の位置がＣＳネットワーク以外のＰＳネットワークによってカバーされることを見出した場合、転送モジュールにトリガ信号を送信するように適合された検知モジュールと、
検知モジュールからトリガ信号を受信した後、サーバに静的ＳＴＩを運ぶＣＳセッション転送要求を送信し、サーバから応答メッセージを受信し、静的ＳＴＩを運ぶＣＳセッション転送要求に対応する手順を実行し、サーバによって送信されたＣＳセッション呼要求を受信し、ＣＳセッション呼要求に従って手順を実行するように適合された前記転送モジュールと、
を含む。
【００２４】
本発明の一実施形態におけるマルチメディアセッション転送のための別のＵＥは、
ＵＥの通話中にＵＥの現在の位置におけるＣＳネットワーク及びＰＳネットワークのカバレージ条件を検知し、ＵＥの現在の位置がＣＳネットワーク以外のＰＳネットワークによってカバーされることを見出した場合、転送モジュールにトリガ信号を送信するように適合された検知モジュールと、
検知モジュールからトリガ信号を受信した後、サーバに、静的ＳＴＩを運ぶＣＳセッション転送要求を送信し、サーバから応答メッセージを受信し、静的ＳＴＩを運ぶＣＳセッション転送要求に対応する手順を実行し、保留されているＣＳセッションがあるかどうかを判定し、ある場合、静的ＳＴＩ及び／又はＳＴＮを使用した保留されているＣＳセッションを転送するための要求を再度送信し、保留されているＣＳセッションを転送する手順を実行するように適合された転送モジュールと、
を含む。
【発明の効果】
【００２５】
本発明の実施形態におけるマルチメディアセッション転送のための方法、ＵＥ、及びサーバは、非ＩＣＳ  ＵＥの２つのマルチメディアセッションをＣＳネットワークからＰＳネットワークに転送する目的を達成する。
【図面の簡単な説明】
【００２６】
本発明による技術的解決法をより明確にするために本発明の実施形態の説明に関連する添付の図面について、以下に略述する。明らかに以下に略述する添付の図面は例示にすぎず、網羅的なものではなく、当業者はいかなる創造的活動もなしにそのような添付の図面から他の図面を導き出すことが可能である。
【００２７】
【図１Ａ】本発明の実施形態１において提供される方法のフローチャートである。
【図１Ｂ】本発明の実施形態１において提供される方法のフローチャートである。
【図２Ａ】本発明の実施形態２において提供される方法のフローチャートである。
【図２Ｂ】本発明の実施形態２において提供される方法のフローチャートである。
【図３Ａ】本発明の実施形態３において提供される方法のフローチャートである。
【図３Ｂ】本発明の実施形態３において提供される方法のフローチャートである。
【図４】本発明の実施形態４において提供されるＵＥを示す。
【図５】本発明の実施形態５において提供されるＵＥを示す。
【図６】本発明の実施形態６において提供されるＵＥを示す。
【図７】本発明の実施形態７において提供されるサーバを示す。
【図８】本発明の実施形態８において提供されるサーバを示す。
【図９】本発明の実施形態９において提供されるサーバを示す。
【発明を実施するための形態】
【００２８】
本発明の技術的解決法、目的、及び利点をより明確にするために、以下に、本発明の９つの実施形態について添付の図面を参照してより詳細に説明する。
【００２９】
第１の実施形態は、以下のステップを含むマルチメディアセッション転送のための方法である。
【００３０】
図１に示すように、ＵＥ−Ａは、ＵＥ−Ｂ及びＵＥ−ＣとのＣＳセッションをそれぞれ有し、ＵＥ−ＡとＵＥ−Ｂとの間のセッションはアクティブであり、ＵＥ−ＡとＵＥ−Ｃとの間のセッションは保留されている。ＵＥ−Ａが、ＣＳネットワーク以外のＰＳネットワークによってカバーされる領域に移動する場合、ＵＥ−Ａは、ＣＳネットワークからＰＳネットワークにＣＳセッションを転送する手順を自発的に開始する。ＭＳＣサーバは、ＣＳ移動ネットワークのソフトスイッチ内に導入されるエンティティである。これは、ＭＳＣの呼制御及びモビリティ管理などの機能を提供し、呼のメディアストリームを運ぶためにＣＳメディアゲートウェイ（ＣＳ−ＭＧＷ）を制御する。
【００３１】
ＭＳＣサーバは、移動ネットワークのレイヤ３シグナリング（例えば、３ＧＰＰネットワークにおける２４．００８シグナリング）を介してＵＥと通信する。一方で、ＭＳＣサーバは、ＩＭＳネットワークのセッション開始プロトコル（ＳＩＰ）シグナリングと移動ネットワークのレイヤ３シグナリングとの間の変換を実施することが可能である。
【００３２】
ＣＳ−ＭＧＷは、ＣＳネットワークとＩＭＳネットワークとの間でメディアストリームを交換することに関与する。
【００３３】
ＣＳＣＦは、登録／レジストラ機能を実施し、セッション制御を実行する。
【００３４】
ＩＣＳ  ＵＥは、ＩＣＳの能力があるＵＥである。これは、Ｇｍインタフェース又はＩ１インタフェースを介して、ＩＭＳセッションをセットアップすることが可能であり、かつ、ＣＳセッションに対するセッション制御を実行することが可能である。非ＩＣＳ  ＵＥは、ＩＣＳの能力がないＵＥである。
【００３５】
ステップ１０１：ＰＳネットワーク内の非ＩＣＳ  ＵＥ−Ａは、ＳＣＣ  ＡＳに転送要求を送信する。転送要求は、静的ＳＴＩを運ぶセッション要求メッセージである。このメッセージは、Ｓ−ＣＳＣＦを通過し、ＳＣＣ  ＡＳに到達する。
【００３６】
ステップ１０２ａ：要求を受信した後、ＳＣＣ  ＡＳは、ＰＳネットワーク内で新たなアクセスレグがセットアップされたと判断し、アクセスレグに動的ＳＴＩ（すなわち、ＳＴＩ−１）を割り当てる。
【００３７】
ステップ１０２ｂ：ＳＣＣ  ＡＳは、ＵＥ−Ａが他のＣＳセッション（保留されているＣＳセッション）を有するかどうかを判定する。有する場合、ＳＣＣ  ＡＳは、保留されているＣＳセッションに対応する動的ＳＴＩ（ＳＴＩ−２）を、Ｒｅｆｅｒメッセージなどのメッセージを介して送信する。このメッセージは、保留されているＣＳセッションに対応する動的ＳＴＩ−２を運ぶ。より具体的には、ＳＴＩ−２は、ＲｅｆｅｒメッセージのＲｅｆｅｒ−Ｔｏヘッダ内で運ばれる。あるいは、動的ＳＴＩ−２は、静的ＳＴＩを運ぶ転送要求に応答する応答メッセージ内で運ばれる。詳細については、ステップ１０５を参照されたい。
【００３８】
ここでのＳＴＩ−２は、ＵＥ−ＡとＵＥ−Ｃとの間の呼接続のセットアップ時に呼接続にＳＣＣ  ＡＳによって割り当てられた動的ＳＴＩであってもよく、又は、ステップ１０２ｂで取得された判定結果に従って保留されているＣＳセッションにＳＣＣ  ＡＳによって一時的に割り当てられた動的ＳＴＩであってもよい。
【００３９】
ステップ１０３：ステップ１０１において転送要求内で運ばれた静的ＳＴＩに従って、ＳＣＣ  ＡＳは、ＣＳネットワークの現在アクティブなアクセスレグをＵＥ−Ａが搬出（ｔｒａｎｓｆｅｒ  ｏｕｔ）する必要があると判断する。従って、ＳＣＣ  ＡＳは、ＵＥ−ＢとＵＥ−Ａとの間のセッションをＵＥ−ＡのＰＳネットワークに転送するようＵＥ−Ｂに要求することを目的として、ＵＥ−ＡのＣＳ音声接続に対応するピアＵＥ−Ｂを更新する。この要求は、Ｓ−ＣＳＣＦを通過し、ＵＥ−Ｂに到達する。
【００４０】
ステップ１０４：ＵＥ−Ｂは、２００  ＯＫメッセージを返し、これは、Ｓ−ＣＳＣＦを通過し、ＳＣＣ  ＡＳに到達する。
【００４１】
注：ステップ１０２ｂは、ステップ１０４の後に現れてもよい。
【００４２】
ステップ１０５：ＳＣＣ  ＡＳは、ＵＥ−Ａに、転送の成功を確認する２００  ＯＫメッセージを送信する。このメッセージは、ステップ１０２ａにおいて割り当てられた動的ＳＴＩ−１を運ぶ。同時に、ステップ１０２ｂにおける動的ＳＴＩ−２も、２００  ＯＫメッセージ内で運ばれてもよい。この場合、ＳＴＩ−１及びＳＴＩ−２の両方が、Ｃｏｎｔａｃｔヘッダフィールド、Ｒｅｐｌａｃｅヘッダフィールド、又はＴａｒｇｅｔ−Ｄｉａｌｏｇヘッダフィールド内で運ばれてもよい。この場合、どちらのＳＴＩが転送要求メッセージに割り当てられているか、及び、どちらのＳＴＩが保留されているＣＳセッションに割り当てられているかをＵＥ−Ａが判定できるように、ＳＴＩ−１及びＳＴＩ−２は順序に依存する。ここでは、ＳＴＩ−１がＳＴＩ−２の前に置かれると仮定される。
【００４３】
ＳＴＩ−１及びＳＴＩ−２は、異なるヘッダフィールド内で運ばれてもよい。この場合、ＳＴＩ−１は、Ｃｏｎｔａｃｔヘッダフィールド内で運ばれてもよく、ＳＴＩ−２は、Ｒｅｐｌａｃｅヘッダフィールド、又はＴａｒｇｅｔ−Ｄｉａｌｏｇヘッダフィールド内で運ばれてもよい。このようにして、ＵＥ−Ａは、保留されているＣＳセッションにＳＴＩが割り当てられているかどうかを、異なるヘッダフィールドの内容に従って判定することができる。
【００４４】
ＳＴＩ−２は、Ｒｅｆｅｒメッセージなどの別のメッセージ内で運ばれてもよい。ＳＣＣ  ＡＳは、ＵＥ−ＡにＲｅｆｅｒメッセージを送信し、ＳＴＩ−２がＲｅｆｅｒメッセージのＲｅｆｅｒ−Ｔｏヘッダフィールド内で運ばれる。このようにして、ＵＥ−Ａは、保留されているＣＳセッションを転送することを目的として、ＳＴＩ−２を運ぶ転送要求をＳＣＣ  ＡＳに送信することの必要性をＲｅｆｅｒメッセージに従って判断することができる。
【００４５】
ステップ１０６：ＳＣＣ  ＡＳは、ＵＥ−ＡとＵＥ−Ｂとの間のＣＳ音声接続を切断することを目的として、ＵＥ−ＡのＣＳネットワークのアクセスレグへのＢｙｅメッセージを送信する。このメッセージは、Ｓ−ＣＳＣＦを通過し、ＵＥ−ＡのＭＳＣサーバに到達する。
【００４６】
ステップ１０７：Ｂｙｅメッセージを受信した後、ＵＥ−ＡのＭＳＣサーバは、ＵＥ−ＡにＤｉｓｃｏｎｎｅｃｔメッセージを送信する。
【００４７】
ステップ１０８：ＵＥ−Ａは、ＭＳＣサーバにＲｅｌｅａｓｅメッセージを返す。
【００４８】
ステップ１０９：Ｒｅｌｅａｓｅメッセージを受信した後、ＭＳＣサーバは、ＣＳ音声接続の切断の成功を確認する２００  ＯＫメッセージをＳＣＣ  ＡＳに送信する。このメッセージは、Ｓ−ＣＳＣＦを通過し、ＳＣＣ  ＡＳに到達する。
【００４９】
ステップ１０１０：ＳＴＩ−２が２００  ＯＫメッセージ内で運ばれる場合、ＵＥ−Ａは、２００  ＯＫメッセージの内容がＳＴＩ−２を含むかどうかを調べる。メッセージ内にＳＴＩ−２を見つけた場合、ＵＥ−Ａは、保留されているＣＳセッションの転送を要求するＳＴＩ−２を運ぶ転送要求をＳＣＣ  ＡＳに再度送信する。
【００５０】
この場合、ＳＴＩ−１及びＳＴＩ−２が同じヘッダフィールド内で運ばれる場合，ＵＥ−Ａは、動的ＳＴＩの数に従って判定を行うことが可能である。例えば、通常の状況では、ステップ１０５における２００  ＯＫメッセージは１つの動的ＳＴＩのみを運ぶが、ステップ１０５における２００  ＯＫメッセージは２つの動的ＳＴＩを運び、従って、ＵＥ−Ａは、保留されているＣＳセッションにＳＴＩが割り当てられていると判断し、そして、ステップ１０５におけるＳＴＩの順序に従ってＰＳネットワークの新たなアクセスレグにＳＴＩ−１が割り当てられていると判断し、かつ、保留されているＣＳセッションにＳＴＩ−２が割り当てられていると判断する。ＳＴＩ−１及びＳＴＩ−２が異なるヘッダフィールド内で運ばれる場合、ＵＥ−Ａは、ＳＴＩ−２を運ぶ特別なヘッダフィールドが存在するかどうかに従って、保留されているＣＳセッションにＳＴＩが割り当てられているかどうかを判定する。
【００５１】
ＳＴＩ−２がＲｅｆｅｒメッセージのＲｅｆｅｒ−Ｔｏヘッダフィールド内で運ばれる場合、ＵＥ−Ａは、保留されているＣＳセッションを転送することを目的として、Ｒｅｆｅｒメッセージに従ってＳＴＩ−２を運ぶ転送要求をＳＣＣ  ＡＳに送信してもよい。
【００５２】
ステップ１０１１：ＰＳネットワーク内の非ＩＣＳ  ＵＥ−Ａは、ＳＣＣ  ＡＳに転送要求を送信する。転送要求は、ＳＴＩ−２を運ぶセッション要求メッセージである。このメッセージは、Ｓ−ＣＳＣＦを通過し、ＳＣＣ  ＡＳに到達する。
【００５３】
ステップ１０１２：要求を受信した後、ＳＣＣ  ＡＳは、転送要求に従ってＰＳネットワーク内で新たなアクセスレグがセットアップされたと判断し、アクセスレグに動的ＳＴＩ（すなわち、ＳＴＩ−３）を割り当てる。
【００５４】
ステップ１０１３：ステップ１０１１において転送要求内で運ばれた動的ＳＴＩ（ＳＴＩ−２）に従って、ＳＣＣ  ＡＳは、ＣＳネットワークの現在保留されているアクセスレグをＵＥ−Ａが搬出する必要があると判断する。従って、ＳＣＣ  ＡＳは、ＵＥ−ＡのＰＳネットワークに音声セッションを転送するようＵＥ−Ｃに要求することを目的として、ＵＥ−ＡのＣＳセッションに対応するピアＵＥ−Ｃを更新する。この要求は、Ｓ−ＣＳＣＦを通過し、ＵＥ−Ｃに到達する。
【００５５】
ステップ１０１４：ＵＥ−Ｃは、２００  ＯＫメッセージを返し、これは、Ｓ−ＣＳＣＦを通過し、ＳＣＣ  ＡＳに到達する。
【００５６】
ステップ１０１５：ＳＣＣ  ＡＳは、ＵＥ−Ａに、転送の成功を確認する２００  ＯＫメッセージを送信する。このメッセージは、ステップ１２において割り当てられた動的ＳＴＩ−３を運ぶ。
【００５７】
ステップ１０１６：ＳＣＣ  ＡＳは、ＵＥ−ＡとＵＥ−Ｃとの間のＣＳ音声接続を切断することを目的として、ＵＥ−ＡのＣＳネットワークのアクセスレグへのＢｙｅメッセージを送信する。このメッセージは、Ｓ−ＣＳＣＦを通過し、ＵＥ−ＡのＭＳＣサーバに到達する。
【００５８】
ステップ１０１７：Ｂｙｅメッセージを受信した後、ＵＥ−ＡのＭＳＣサーバは、ＵＥ−ＡにＤｉｓｃｏｎｎｅｃｔメッセージを送信する。
【００５９】
ステップ１０１８：ＵＥ−Ａは、ＭＳＣサーバにＲｅｌｅａｓｅメッセージを返す。
【００６０】
ステップ１０１９：Ｒｅｌｅａｓｅメッセージを受信した後、ＭＳＣサーバは、ＣＳ音声接続の切断の成功を確認する２００  ＯＫメッセージをＳＣＣ  ＡＳに送信する。このメッセージは、Ｓ−ＣＳＣＦを通過し、ＳＣＣ  ＡＳに到達する。
【００６１】
本実施形態において提示した解決法の利点は以下の通りである。サーバは、ＵＥからＣＳマルチメディアセッション転送要求を受信し、セッション転送要求に従ってアクティブなＣＳセッションを転送する手順を実行する際に、サーバは、保留されているＣＳセッションをＵＥが有するかどうかを判定し、有する場合、サーバは、ＵＥに、保留されているＣＳセッションを転送するための動的ＳＴＩを送信し、これにより、ＵＥは、動的ＳＴＩを使用して、保留されているＣＳセッションを転送する。このようにして、非ＩＣＳ  ＵＥの２つのＣＳマルチメディアセッションがＰＳネットワークに転送されることが可能である。
【００６２】
本発明の第２の実施形態は、以下のステップを含むマルチメディアセッション転送のための別の方法である。
【００６３】
図２に示すように、前提条件は、本発明の第１の実施形態におけるものと同じである。
【００６４】
ステップ２０１：ＰＳネットワーク内の非ＩＣＳ  ＵＥ−Ａは、ＳＣＣ  ＡＳに転送要求を送信する。転送要求は、静的ＳＴＩを運ぶセッション要求メッセージである。このメッセージは、Ｓ−ＣＳＣＦを通過し、ＳＣＣ  ＡＳに到達する。
【００６５】
ステップ２０２ａ：要求を受信した後、ＳＣＣ  ＡＳは、ＰＳネットワーク内で新たなアクセスレグがセットアップされたと判断し、アクセスレグに動的ＳＴＩ（すなわち、ＳＴＩ−１）を割り当てる。
【００６６】
ステップ２０２ｂ：ＳＣＣ  ＡＳは、ＵＥ−Ａが別の保留されているＣＳセッションを有するかどうかを判定する。有する場合、ＳＣＣ  ＡＳは、保留されているＣＳセッションを転送するために、ＵＥ−Ａに呼要求を送信し、呼要求のためにセットアップされた新たなアクセスレグに動的ＳＴＩ（すなわち、ＳＴＩ−３）を割り当てる。
【００６７】
ステップ２０３：ステップ２０１において転送要求内で運ばれた静的ＳＴＩに従って、ＳＣＣ  ＡＳは、ＣＳネットワークの現在アクティブなアクセスレグをＵＥ−Ａが搬出する必要があると判断する。ＳＣＣ  ＡＳは、ＵＥ−ＢとＵＥ−Ａとの間のセッションをＵＥ−ＡのＰＳネットワークに転送するようＵＥ−Ｂに要求することを目的として、ピアＵＥ−Ｂを更新する。この要求は、Ｓ−ＣＳＣＦを通過し、ＵＥ−Ｂに到達する。
【００６８】
ステップ２０４：ＵＥ−Ｂは、２００  ＯＫメッセージを返し、これは、Ｓ−ＣＳＣＦを通過し、ＳＣＣ  ＡＳに到達する。
【００６９】
ステップ２０５：ＳＣＣ  ＡＳは、ＵＥ−Ａに転送の成功を確認する２００  ＯＫメッセージを送信する。このメッセージは、ステップ２０２において割り当てられた動的ＳＴＩ（ＳＴＩ−１）を運ぶ。
【００７０】
ステップ２０６：ＳＣＣ  ＡＳは、ＵＥ−ＡとＵＥ−Ｂとの間のＣＳセッション接続を切断することを目的として、ＵＥ−ＡのＣＳネットワークのアクセスレグへのＢｙｅメッセージを送信する。このメッセージは、Ｓ−ＣＳＣＦを通過し、ＵＥ−ＡのＭＳＣサーバに到達する。
【００７１】
ステップ２０７：Ｂｙｅメッセージを受信した後、ＵＥ−ＡのＭＳＣサーバは、ＵＥ−ＡにＤｉｓｃｏｎｎｅｃｔメッセージを送信する。
【００７２】
ステップ２０８：ＵＥ−Ａは、ＭＳＣサーバにＲｅｌｅａｓｅメッセージを返す。
【００７３】
ステップ２０９：Ｒｅｌｅａｓｅメッセージを受信した後、ＭＳＣサーバは、ＣＳ音声接続の切断の成功を確認する２００  ＯＫメッセージをＵＥ−Ａに送信する。このメッセージは、Ｓ−ＣＳＣＦを通過し、ＳＣＣ  ＡＳに到達する。
【００７４】
ステップ２０１０：ＳＣＣ  ＡＳは、ＵＥ−Ａに呼要求を送信する。呼要求は、呼要求のためにセットアップされた新たなアクセスレグに割り当てられた動的ＳＴＩ（ＳＴＩ−３）を運ぶ。
【００７５】
呼要求は、ＵＥの呼び出し（ｒｉｎｇｉｎｇ）の抑止を指示する情報を運ぶ。ＵＥの呼び出しの抑止を指示する情報は、ＳＴＩ−３とは異なる別の動的ＳＴＩ（ＳＴＩ−２）、又はＣｏｎｔａｃｔヘッダフィールド内の特別な指示、又は呼要求メッセージ内の特別なＳＩＰヘッダフィールド、又はそれらの任意の組み合わせであってもよい。ここでのＳＴＩ−２は、この呼転送プロセスのためにＳＣＣ  ＡＳによって動的に割り当てられたＳＴＩ、又は、ＵＥ−ＡとＵＥ−Ｃとの間の呼接続のセットアップ時にＳＣＣ  ＡＳによって呼接続に割り当てられた動的ＳＴＩであってもよい。
【００７６】
ステップ２０１１：ＵＥ−Ａは、２００  ＯＫメッセージを返す。
【００７７】
受信された要求メッセージ内のＵＥの呼び出しの抑止を指示する情報に従って、ＵＥは呼び出しを行わない。
【００７８】
ステップ２０１２：ステップ２０２ｂで得られた判定結果に従って、ＳＣＣ  ＡＳは、ＣＳネットワークの現在保留されているアクセスレグをＵＥ−Ａが搬出する必要があると判断する。従って、ＳＣＣ  ＡＳは、ＵＥ−ＡのＰＳネットワークに音声セッションを転送するようＵＥ−Ｃに要求することを目的として、ＵＥ−ＡのＣＳセッションに対応するピアＵＥ−Ｃを更新する。この要求は、Ｓ−ＣＳＣＦを通過し、ＵＥ−Ｃに到達する。
【００７９】
ステップ２０１３：ＵＥ−Ｃは、２００  ＯＫメッセージを返し、これは、Ｓ−ＣＳＣＦを通過し、ＳＣＣ  ＡＳに到達する。
【００８０】
ステップ２０１４：ＳＣＣ  ＡＳは、ＵＥ−ＡとＵＥ−Ｃとの間のＣＳ音声接続を切断することを目的として、ＵＥ−ＡのＣＳネットワークのアクセスレグへのＢｙｅメッセージを送信する。このメッセージは、Ｓ−ＣＳＣＦを通過し、ＵＥ−ＡのＭＳＣサーバに到達する。
【００８１】
ステップ２０１５：Ｂｙｅメッセージを受信した後、ＵＥ−ＡのＭＳＣサーバは、ＵＥ−ＡにＤｉｓｃｏｎｎｅｃｔメッセージを送信する。
【００８２】
ステップ２０１６：ＵＥ−Ａは、ＭＳＣサーバにＲｅｌｅａｓｅメッセージを返す。
【００８３】
ステップ２０１７：Ｒｅｌｅａｓｅメッセージを受信した後、ＭＳＣサーバは、ＣＳ音声接続の切断の成功を確認する２００  ＯＫメッセージをＳＣＣ  ＡＳに送信する。このメッセージは、Ｓ−ＣＳＣＦを通過し、ＳＣＣ  ＡＳに到達する。
【００８４】
本実施形態において提示した解決法の利点は以下の通りである。サーバは、ＵＥからＣＳマルチメディアセッション転送要求を受信し、セッション転送要求に従ってアクティブなＣＳセッションを転送する手順を実行する際に、サーバは、保留されているＣＳセッションをＵＥが有するかどうかを判定し、有する場合、サーバは、現在保留されているＣＳセッションを転送するために、動的ＳＴＩを運ぶ呼要求を自発的に送信する。このようにして、非ＩＣＳ  ＵＥの２つのＣＳマルチメディアセッションがＰＳネットワークに転送されることが可能である。
【００８５】
本発明の第３の実施形態は、以下のステップを含むマルチメディアセッション転送のための別の方法である。
【００８６】
図３に示すように、前提条件は、本発明の第１の実施形態におけるものと同じである。
【００８７】
ステップ３０１：ＰＳネットワーク内の非ＩＣＳ  ＵＥ−Ａは、ＳＣＣ  ＡＳに転送要求を送信する。転送要求は、静的ＳＴＩを運ぶセッション要求メッセージである。このメッセージは、Ｓ−ＣＳＣＦを通過し、ＳＣＣ  ＡＳに到達する。
【００８８】
ステップ３０２：要求を受信した後、ＳＣＣ  ＡＳは、ＰＳネットワーク内で新たなアクセスレグがセットアップされたと判断し、アクセスレグに動的ＳＴＩを割り当てる。このＳＴＩは、ＳＴＩ−１であると仮定される。
【００８９】
ステップ３０３：ステップ３０１において転送要求内で運ばれた静的ＳＴＩに従って、ＳＣＣ  ＡＳは、ＣＳネットワークの現在アクティブなアクセスレグをＵＥ−Ａが搬出する必要があると判断する。ＳＣＣ  ＡＳは、ＵＥ−ＢとＵＥ−Ａとの間のセッションをＵＥ−ＡのＰＳネットワークに転送するようＵＥ−Ｂに要求することを目的として、ピアＵＥ−Ｂを更新する。この要求は、Ｓ−ＣＳＣＦを通過し、ＵＥ−Ｂに到達する。
【００９０】
ステップ３０４：ＵＥ−Ｂは、２００  ＯＫメッセージを返し、これは、Ｓ−ＣＳＣＦを通過し、ＳＣＣ  ＡＳに到達する。
【００９１】
ステップ３０５：ＳＣＣ  ＡＳは、ＵＥ−Ａに転送の成功を確認する２００  ＯＫメッセージを送信する。このメッセージは、ステップ２において割り当てられた動的ＳＴＩ（ＳＴＩ−１）を運ぶ。
【００９２】
ステップ３０６：ＳＣＣ  ＡＳは、ＵＥ−ＡとＵＥ−Ｂとの間のＣＳセッション接続を切断することを目的として、ＵＥ−ＡのＣＳネットワークのアクセスレグへのＢｙｅメッセージを送信する。このメッセージは、Ｓ−ＣＳＣＦを通過し、ＵＥ−ＡのＭＳＣサーバに到達する。
【００９３】
ステップ３０７：Ｂｙｅメッセージを受信した後、ＵＥ−ＡのＭＳＣサーバは、ＵＥ−ＡにＤｉｓｃｏｎｎｅｃｔメッセージを送信する。
【００９４】
ステップ３０８：ＵＥ−Ａは、ＭＳＣサーバにＲｅｌｅａｓｅメッセージを返す。
【００９５】
ステップ３０９：Ｒｅｌｅａｓｅメッセージを受信した後、ＭＳＣサーバは、ＣＳ音声接続の切断の成功を確認する２００  ＯＫメッセージをＵＥ−Ａに送信する。このメッセージは、Ｓ−ＣＳＣＦを通過し、ＳＣＣ  ＡＳに到達する。
【００９６】
ステップ３０１０：保留されているＣＳセッションの存在を判断した後、ＵＥ−Ａは、ＰＳネットワークからＳＣＣ  ＡＳに第２の転送要求を送信する。第２の転送要求は、静的ＳＴＩ及び／又はＳＴＮを運ぶセッション要求メッセージである。このメッセージは、Ｓ−ＣＳＣＦを通過し、ＳＣＣ  ＡＳに到達する。
【００９７】
ステップ３０１１ａ：要求を受信した後、ＳＣＣ  ＡＳは、第２の転送要求に従ってＰＳネットワーク内で新たなアクセスレグがセットアップされたと判断し、アクセスレグに動的ＳＴＩ（すなわち、ＳＴＩ−３）を割り当てる。
【００９８】
ステップ３０１１ｂ：ＳＴＩの内容に従って、ＳＣＣ  ＡＳは、保留されているＣＳセッションをＵＥ−Ａが転送する必要があると判断する。
【００９９】
ＵＥ−Ａが静的ＳＴＩを使用することによって呼転送を継続して開始する場合、ＳＣＣ  ＡＳは、ＵＥ−Ａによって開始される呼転送の順序に従って、保留されているＣＳセッションをＵＥ−Ａが転送することを期待していると判断する。
【０１００】
ＵＥ−Ａが静的ＳＴＩ及び／又はＳＴＮを使用することによって呼転送を開始する場合、ＳＣＣ  ＡＳは、ＵＥ−Ａによって使用されるＳＴＩの内容に従って、保留されているＣＳセッションをＵＥ−Ａが転送することを期待していると判断する。
【０１０１】
ステップ３０１２：ステップ３０１１ａにおいて転送要求内で運ばれた動的ＳＴＩ（ＳＴＩ−３）に従って、ＳＣＣ  ＡＳは、ＣＳネットワークの現在保留されているアクセスレグをＵＥ−Ａが搬出する必要があると判断する。従って、ＳＣＣ  ＡＳは、ＵＥ−ＡのＰＳネットワークに音声セッションを転送するようＵＥ−Ｃに要求することを目的として、ＵＥ−ＡのＣＳセッションに対応するピアＵＥ−Ｃを更新する。この要求は、Ｓ−ＣＳＣＦを通過し、ＵＥ−Ｃに到達する。
【０１０２】
ステップ３０１３：ＵＥ−Ｃは、２００  ＯＫメッセージを返し、これは、Ｓ−ＣＳＣＦを通過し、ＳＣＣ  ＡＳに到達する。
【０１０３】
ステップ３０１４：ＳＣＣ  ＡＳは、ＵＥ−Ａに転送の成功を確認する２００  ＯＫメッセージを送信する。このメッセージは、ステップ３０１２において割り当てられた動的ＳＴＩ−３を運ぶ。
【０１０４】
ステップ３０１５：ＳＣＣ  ＡＳは、ＵＥ−ＡとＵＥ−Ｃとの間のＣＳ音声接続を切断することを目的として、ＵＥ−ＡのＣＳネットワークのアクセスレグへのＢｙｅメッセージを送信する。このメッセージは、Ｓ−ＣＳＣＦを通過し、ＵＥ−ＡのＭＳＣサーバに到達する。
【０１０５】
ステップ３０１６：Ｂｙｅメッセージを受信した後、ＵＥ−ＡのＭＳＣサーバは、ＵＥ−ＡにＤｉｓｃｏｎｎｅｃｔメッセージを送信する。
【０１０６】
ステップ３０１７：ＵＥ−Ａは、ＭＳＣサーバにＲｅｌｅａｓｅメッセージを返す。
【０１０７】
ステップ３０１８：Ｒｅｌｅａｓｅメッセージを受信した後、ＭＳＣサーバは、ＣＳ音声接続の切断の成功を確認する２００  ＯＫメッセージをＵＥ−Ａに送信する。このメッセージは、Ｓ−ＣＳＣＦを通過し、ＳＣＣ  ＡＳに到達する。
【０１０８】
本実施形態において提示した解決法の利点は以下の通りである。サーバは、ＵＥからＣＳマルチメディアセッション転送要求を受信し、セッション転送要求に従ってアクティブなＣＳセッションを転送する手順を実行する際に、サーバは、保留されているＣＳセッションをＵＥが有するかどうかを判定し、有する場合、ＵＥは、静的ＳＴＩ及び／又はＳＴＮを運ぶＣＳセッション転送要求を再度送信する。このようにして、非ＩＣＳ  ＵＥの２つのＣＳマルチメディアセッションがＰＳネットワークに転送されることが可能である。
【０１０９】
本発明の第４の実施形態は、マルチメディアセッション転送のためのＵＥである。
【０１１０】
図４に示すように、ＵＥ４１は、ＩＣＳの能力がない移動端末、すなわち、非ＩＣＳ  ＵＥである。ＵＥは、
ＵＥ４１の通話中にＵＥ４１の現在の位置におけるＣＳネットワーク及びＰＳネットワークのカバレージ条件を検知し、ＵＥ４１の現在の位置がＣＳネットワーク以外のＰＳネットワークによってカバーされることを見出した場合、転送モジュール４０２にトリガ信号を送信するように適合された検知モジュール４０１と、
検知モジュール４０１からトリガ信号を受信した後、サーバに、静的ＳＴＩを運ぶＣＳセッション転送要求を送信し、サーバから応答メッセージを受信し、静的ＳＴＩを運ぶＣＳセッション転送要求に対応する手順を実行し、サーバからの応答メッセージに従って別のＣＳセッション転送要求を送信するかどうかを判定し、別のＣＳセッション転送要求に対応する手順を実行するように適合された転送モジュール４０２と、
転送モジュール４０２の内部に置かれた判定モジュール４００２であって、サーバからの応答メッセージ内で運ばれる動的ＳＴＩの数に従ってＣＳセッション転送要求を再度送信するかどうかを判定し、２つの動的ＳＴＩが存在する場合、所定の順序に従って保留されているＣＳセッションを対象とする動的ＳＴＩを取り出し、動的ＳＴＩを使用することによって保留されているＣＳセッションを転送するための要求を再度送信するように適合されるか、又は、
サーバからの応答メッセージ内のＲｅｐｌａｃｅヘッダフィールド又はＴａｒｇｅｔ−Ｄｉａｌｏｇヘッダフィールドが保留されているＣＳセッションに割り当てられた動的ＳＴＩを運ぶかどうかに従って、ＣＳセッション転送要求を再度送信するかどうかを判定するように適合された判定モジュール４００２と、を含む。
【０１１１】
本実施形態における解決法の利点は以下の通りである。非ＩＣＳ  ＵＥのモジュールの設計が提示され、これにより、非ＩＣＳ  ＵＥはＰＳネットワークに２つのＣＳマルチメディアセッションを転送することが可能である。
【０１１２】
本発明の第５の実施形態は、マルチメディアセッション転送のためのＵＥである。
【０１１３】
図５に示すように、ＵＥ５１は、ＩＣＳの能力がない移動端末、すなわち、非ＩＣＳ  ＵＥである。ＵＥは、
ＵＥ５１の通話中にＵＥ５１の現在の位置におけるＣＳネットワーク及びＰＳネットワークのカバレージ条件を検知し、ＵＥ５１の現在の位置がＣＳネットワーク以外のＰＳネットワークによってカバーされることを見出した場合、転送モジュール５０２にトリガ信号を送信するように適合された検知モジュール５０１と、
検知モジュール５０１からトリガ信号を受信した後、サーバに、静的ＳＴＩを運ぶＣＳセッション転送要求を送信し、サーバから応答メッセージを受信し、静的ＳＴＩを運ぶＣＳセッション転送要求に対応する手順を実行し、サーバによって送信されたＣＳセッション呼要求を受信し、ＣＳセッション呼要求に従った手順を実行するように適合された転送モジュール５０２と、を含む。
【０１１４】
本実施形態における解決法の利点は以下の通りである。非ＩＣＳ  ＵＥのモジュールの別の設計が提示され、これにより、非ＩＣＳ  ＵＥはＰＳネットワークに２つのＣＳマルチメディアセッションを転送することが可能である。
【０１１５】
本発明の第６の実施形態は、マルチメディアセッション転送のためのＵＥである。
【０１１６】
図６に示すように、ＵＥ６１は、ＩＣＳの能力がない移動端末、すなわち、非ＩＣＳ  ＵＥである。ＵＥは、
ＵＥ６１の通話中にＵＥ６１の現在の位置におけるＣＳネットワーク及びＰＳネットワークのカバレージ条件を検知し、ＵＥ６１の現在の位置がＣＳネットワーク以外のＰＳネットワークによってカバーされることを見出した場合、転送モジュール６０２にトリガ信号を送信するように適合された検知モジュール６０１と、
検知モジュール６０１からトリガ信号を受信した後、サーバに、静的ＳＴＩを運ぶＣＳセッション転送要求を送信し、サーバから応答メッセージを受信し、静的ＳＴＩを運ぶＣＳセッション転送要求に対応する手順を実行し、保留されているＣＳセッションがあるかどうかを判定し、ある場合、静的ＳＴＩ及び／又はＳＴＮを使用した保留されているＣＳセッションを転送するための要求を再度送信し、保留されているＣＳセッションを転送する手順を実行するように適合された転送モジュール６０２と、を含む。
【０１１７】
本実施形態における解決法の利点は以下の通りである。非ＩＣＳ  ＵＥのモジュールの第３の設計が提示され、これにより、非ＩＣＳ  ＵＥはＰＳネットワークに２つのＣＳマルチメディアセッションを転送することが可能である。
【０１１８】
本発明の第７の実施形態は、マルチメディアセッション転送のためのサーバである。
【０１１９】
図７に示すように、サーバ７１は、非ＩＣＳ  ＵＥと情報を交換するように適合され、これにより、ＵＥが、ＣＳネットワーク以外のＰＳネットワークによってカバーされている場合、又は、ＣＳネットワークによってかろうじてカバーされているがＰＳネットワークによって十分にカバーされている場合、ＵＥは、ＰＳネットワークに２つのＣＳマルチメディアセッションを転送することが可能である。サーバは、
ＵＥによって送信されたＣＳセッション転送要求を受信し、ＣＳセッション転送要求は静的ＳＴＩを運び、アクティブなＣＳセッションを転送することをＵＥが要求していると静的ＳＴＩに従って判断し、セッション転送要求を処理し、保留されているＣＳセッションをＵＥが有するかどうかを判定し、有する場合、第２のモジュール７０２にトリガ信号を送信するように適合された第１のモジュール７０１と、
第１のモジュール７０１によって送信されたトリガ信号を受信した場合、保留されているＣＳセッションに割り当てられた動的ＳＴＩをＵＥに送信し、ＵＥによって送信された別のセッション転送要求を受信し、セッション転送要求は動的ＳＴＩを運び、セッション転送要求を処理するように適合された第２のモジュール７０２と、を含む。
【０１２０】
本実施形態における解決法の利点は以下の通りである。マルチメディアセッション転送のためのサーバの機能モジュールの設計が提示され、従って、ＵＥが、ＣＳネットワーク以外のＰＳネットワークによってカバーされている場合、又は、ＣＳネットワークによってかろうじてカバーされているがＰＳネットワークによって十分にカバーされている場合、非ＩＣＳ  ＵＥの２つのＣＳマルチメディアセッションがＰＳネットワークに転送されることが可能である。
【０１２１】
本発明の第８の実施形態は、マルチメディアセッション転送のためのサーバである。
【０１２２】
図８に示すように、サーバ８１は、非ＩＣＳ  ＵＥと情報を交換するように適合され、これにより、ＵＥが、ＣＳネットワーク以外のＰＳネットワークによってカバーされている場合、又は、ＣＳネットワークによってかろうじてカバーされているがＰＳネットワークによって十分にカバーされている場合、ＵＥは、ＰＳネットワークに２つのＣＳマルチメディアセッションを転送することが可能である。サーバは、
ＵＥによって送信されたＣＳセッション転送要求を受信し、ＣＳセッション転送要求は静的ＳＴＩを運び、アクティブなＣＳセッションを転送することをＵＥが要求していると静的ＳＴＩに従って判断し、セッション転送要求に従ってアクティブなＣＳセッションを転送する手順を実行し、保留されているＣＳセッションをＵＥが有するかどうかを判定し、有する場合、第２のモジュール８０２にトリガ信号を送信するように適合された第１のモジュール８０１と、
第１のモジュール８０１によって送信されたトリガ信号を受信した後、ＵＥにＣＳセッション呼要求を送信し、ＣＳセッション呼要求は動的ＳＴＩを運び、保留されているＣＳセッションを転送する手順を実行するように適合された第２のモジュール８０２と、を含む。
【０１２３】
本実施形態における解決法の利点は以下の通りである。マルチメディアセッション転送のためのサーバの機能モジュールの別の設計が提示され、従って、ＵＥが、ＣＳネットワーク以外のＰＳネットワークによってカバーされている場合、又は、ＣＳネットワークによってかろうじてカバーされているがＰＳネットワークによって十分にカバーされている場合、非ＩＣＳ  ＵＥの２つのＣＳマルチメディアセッションがＰＳネットワークに転送されることが可能である。
【０１２４】
本発明の第９の実施形態は、マルチメディアセッション転送のためのサーバである。
【０１２５】
図９に示すように、サーバ９１は、非ＩＣＳ  ＵＥと情報を交換するように適合され、これにより、ＵＥが、ＣＳネットワーク以外のＰＳネットワークによってカバーされている場合、又は、ＣＳネットワークによってかろうじてカバーされているがＰＳネットワークによって十分にカバーされている場合、ＵＥは、ＰＳネットワークに２つのＣＳマルチメディアセッションを転送することが可能である。サーバは、
ＵＥによって送信されたセッション転送要求を受信し、セッション転送要求は静的ＳＴＩを運び、アクティブなＣＳセッションを転送することをＵＥが要求していると静的ＳＴＩに従って判断し、セッション転送要求に従ってアクティブなＣＳセッションを転送する手順を実行し、ＵＥによって送信された別のセッション転送要求を受信し、セッション転送要求は静的ＳＴＩ及び／又はＳＴＮを運び、保留されているＣＳセッションを転送することをＵＥが要求しているかどうかを静的ＳＴＩ及び／又はＳＴＮに従って判定し、要求している場合、第２のモジュール９０２にトリガ信号を送信するように適合された第１のモジュール９０１と、
第１のモジュール９０１によって送信されたトリガ信号を受信した後、保留されているＣＳセッションを転送するための要求に従ってアクティブなＣＳセッションを転送する手順を実行するように適合された第２のモジュール９０２と、を含む。
【０１２６】
本実施形態における解決法の利点は以下の通りである。マルチメディアセッション転送のためのサーバの機能モジュールの第３の設計が提示され、従って、ＵＥが、ＣＳネットワーク以外のＰＳネットワークによってカバーされている場合、又は、ＣＳネットワークによってかろうじてカバーされているがＰＳネットワークによって十分にカバーされている場合、非ＩＣＳ  ＵＥの２つのＣＳマルチメディアセッションがＰＳネットワークに転送されることが可能である。
【０１２７】
上記の説明は、本発明の好ましい実施形態にすぎず、本発明の範囲を限定することを意図するものではない。当業者によって容易に導き出されることが可能な任意の修正、変形、又は置換は、本発明の範囲内に入る。従って、本発明の範囲は、添付の特許請求の範囲によって決まる。
本出願は、２００８年１１月７日に中国専利局に出願された「Ｍｅｔｈｏｄ，Ｕｓｅｒ  Ｅｑｕｉｐｍｅｎｔ  ａｎｄ  Ｓｅｒｖｅｒ  ｆｏｒ  Ｍｕｌｔｉｍｅｄｉａ  Ｓｅｓｓｉｏｎ  Ｔｒａｎｓｆｅｒ（マルチメディアセッション転送のための方法、ユーザ装置、及びサーバ）」と題された中国特許出願第２００８１０２１７４１１．０号の優先権を主張するものであり、当該出願はその全体が参照によって本明細書中に援用される。
【図１Ａ】
0005205516.tif 000002
【図１Ｂ】
0005205516.tif 000003
【図２Ａ】
0005205516.tif 000004
【図２Ｂ】
0005205516.tif 000005
【図３Ａ】
0005205516.tif 000006
【図３Ｂ】
0005205516.tif 000007
【図４】
0005205516.tif 000008
【図５】
0005205516.tif 000009
【図６】
0005205516.tif 000010
【図７】
0005205516.tif 000011
【図８】
0005205516.tif 000012
【図９】
0005205516.tif 000013